(57)【要約】      （修正有）【課題】各表示装置に表示していた異なる映像を、必要な場合に複数の表示装置を用いて１つの監視映像を表示可能にする映像信号復号装置、映像表示システム、映像表示方法を提供する。【解決手段】複数の映像信号復号装置１０Ａ〜１０Ｄのうちの映像信号復号装置１０Ａが、映像信号復号装置１０Ｂ〜１０Ｄに対し、映像信号復号装置１０Ａの受信する映像信号ＳＡの識別情報、当該映像信号ＳＡの画像サイズ、映像信号復号装置１０Ｂ〜１０Ｄにおいて表示する表示範囲を含む制御信号を送信し、映像信号復号装置１０Ｂ〜１０Ｄは、制御信号で指定された識別情報の映像信号ＳＡを受信し、映像信号ＳＡの画像フレームに含まれる各画像から制御信号で指定された表示範囲の画像を抽出し、抽出した画像を表示装置２００Ｂ〜２００Ｄに出力するための表示用信号を出力する。【選択図】図７
2018007193.tif 000002
【特許請求の範囲】
【請求項１】
映像信号を受信する通信処理部（１１）と、
前記通信処理部の受信した映像信号を復号して画像フレームを構成する情報処理部（１２）と、
前記画像フレームに含まれる画像の表示範囲を設定する設定部（１３）と、
前記設定部によって設定された表示範囲の画像を抽出する表示調整部（１４）と、
前記表示調整部の抽出した画像を表示装置（２００）に表示するための表示用信号を出力する信号出力部（１５）と、
を備える映像信号復号装置。
【請求項２】
前記設定部は、前記映像信号を復号した画像フレームの画像サイズが変わった場合、前記表示調整部に抽出する表示範囲の設定を解除する、
請求項１に記載の映像信号復号装置。
【請求項３】
複数の表示装置（２００）が隣接して配置され、請求項１に記載の複数の映像信号復号装置（１０）がそれぞれ前記複数の表示装置に接続されている映像表示システムであって、
前記複数の映像信号復号装置のうちの第１の映像信号復号装置は、前記複数の映像信号復号装置のうちの前記第１の映像信号復号装置から表示用信号を出力する第１の表示装置に隣接する少なくとも１つの他の表示装置に表示用信号を出力する映像信号復号装置に対し、自装置の受信する映像信号の識別情報、当該映像信号の画像サイズ、前記他の映像信号復号装置において表示する表示範囲を含む制御信号を送信し、
前記他の映像信号復号装置は、制御信号で指定された識別情報の映像信号を受信し、復号後の画像フレームに含まれる各画像から制御信号で指定された表示範囲の画像を抽出し、抽出した画像の表示用信号を出力する、
映像表示システム。
【請求項４】
前記複数の映像信号復号装置は、映像信号に含まれる画像又は音声に予め定められた変化が生じたか否かに基づいて、異常を検出する異常検出部（１６）をさらに備え、
前記複数の映像信号復号装置のうちの前記異常検出部が異常を検出した映像信号復号装置が、前記第１の映像信号復号装置として機能する、
請求項３に記載の映像表示システム。
【請求項５】
通信処理部（１１）が映像信号を受信し、
情報処理部（１２）が前記映像信号を復号して画像フレームを構成し、
設定部（１３）が前記画像フレームに含まれる画像の表示範囲を設定し、
表示調整部（１４）が前記画像フレームから設定された前記表示範囲の画像を抽出し、
信号出力部（１５）が前記表示調整部の抽出した画像を表示装置（２００）に表示するための表示用信号を出力する、
映像信号復号装置の映像信号復号方法。
【請求項６】
複数の表示装置（２００）が隣接して配置され、請求項１に記載の複数の映像信号復号装置（１０）がそれぞれ前記複数の表示装置に接続されている映像表示システムの映像信号復号方法であって、
前記複数の映像信号復号装置のうちの第１の映像信号復号装置は、前記複数の映像信号復号装置のうちの前記第１の映像信号復号装置から表示用信号を出力する第１の表示装置に隣接する少なくとも１つの他の表示装置に表示用信号を出力する映像信号復号装置に対し、自装置の受信する映像信号の識別情報、当該映像信号の画像サイズ、前記他の映像信号復号装置において表示する表示範囲を含む制御信号を送信し、
前記他の映像信号復号装置は、制御信号で指定された識別情報の映像信号を受信し、復号後の画像フレームに含まれる各画像から制御信号で指定された表示範囲の画像を抽出し、抽出した画像の表示用信号を出力する、
映像表示システムの映像信号復号方法。
【発明の詳細な説明】
【技術分野】
【０００１】
本開示は、映像信号復号装置、映像表示システム、映像表示方法に関する。
【背景技術】
【０００２】
多数の表示装置を相互隣接するように配置し、１つの大きな画面として用いる技術が提案されている（例えば、特許文献１参照。）。特許文献１の技術は、全体イメージのサイズ及びポジションをディスプレイデバイスごとに定めておき、各ディスプレイデバイスは、予め定められたサイズ及びポジションを受け取った画像から切り出して表示する。これにより、多数の表示装置を用いて、１つの全体イメージを表示する。
【０００３】
一方で、台風や地震などの自然災害や設備の老朽化を監視するための監視映像の分野においても、複数台の表示装置を用いて監視映像を表示している。
【先行技術文献】
【特許文献】
【０００４】
【特許文献１】２００５−７８０６９号公報
【発明の概要】
【発明が解決しようとする課題】
【０００５】
監視映像の分野においては、通常、各表示装置に異なる映像を表示している。しかし、監視映像の１つが通常とは異なる場合、その映像を拡大することが好ましい。そのときに、複数の表示装置を用いて１つの監視映像を拡大表示したいという要望があがっている。
【０００６】
しかし、特許文献１の技術は、全体イメージのサイズ及びポジションがディスプレイデバイスに予め設定されるため、常に１つの全体イメージしか表示できない。そのため、監視映像を切り替えようとすると、監視映像を切り替えるための装置と、切り替えた際に各ディスプレイを制御するための装置と、が必要になるため、制御が複雑になる問題がある。
【０００７】
監視映像を受信する各受信装置において、映像における表示範囲を任意に設定できれば、監視映像を切り替えるための装置や、切り替えた際に各ディスプレイを制御するための装置を別途設けずに、複数の表示装置を用いて１つの監視映像が表示可能となる。
【０００８】
そこで、本開示は、監視映像を受信する各受信装置において、映像における表示範囲を任意に設定可能とすることを目的とする。
【課題を解決するための手段】
【０００９】
本開示の映像信号復号装置は、
映像信号を受信する通信処理部（１１）と、
前記通信処理部の受信した映像信号を復号して画像フレームを構成する情報処理部（１２）と、
前記画像フレームに含まれる画像の表示範囲を設定する設定部（１３）と、
前記設定部によって設定された表示範囲の画像を抽出する表示調整部（１４）と、
前記表示調整部の抽出した画像を表示装置（２００）に表示するための表示用信号を出力する信号出力部（１５）と、
を備える。
【００１０】
本開示の映像表示システムは、
複数の表示装置（２００）が隣接して配置され、請本開示に係る複数の映像信号復号装置（１０）がそれぞれ前記複数の表示装置に接続されている映像表示システムであって、
前記複数の映像信号復号装置のうちの第１の映像信号復号装置は、前記複数の映像信号復号装置のうちの前記第１の映像信号復号装置から表示用信号を出力する第１の表示装置に隣接する少なくとも１つの他の表示装置に表示用信号を出力する映像信号復号装置に対し、自装置の受信する映像信号の識別情報、当該映像信号の画像サイズ、前記他の映像信号復号装置において表示する表示範囲を含む制御信号を送信し、
前記他の映像信号復号装置は、制御信号で指定された識別情報の映像信号を受信し、復号後の画像フレームに含まれる各画像から制御信号で指定された表示範囲の画像を抽出し、抽出した画像の表示用信号を出力する。
【００１１】
本開示に係る映像信号復号装置の映像信号復号方法は、
通信処理部（１１）が映像信号を受信し、
情報処理部（１２）が前記映像信号を復号して画像フレームを構成し、
設定部（１３）が前記画像フレームに含まれる画像の表示範囲を設定し、
表示調整部（１４）が前記画像フレームから設定された前記表示範囲の画像を抽出し、
信号出力部（１５）が前記表示調整部の抽出した画像を表示装置（２００）に表示するための表示用信号を出力する。
【００１２】
本開示の映像表示システムの映像信号復号方法は、
複数の表示装置（２００）が隣接して配置され、請求項１に記載の複数の映像信号復号装置（１０）がそれぞれ前記複数の表示装置に接続されている映像表示システムの映像信号復号方法であって、
前記複数の映像信号復号装置のうちの第１の映像信号復号装置は、前記複数の映像信号復号装置のうちの前記第１の映像信号復号装置から表示用信号を出力する第１の表示装置に隣接する少なくとも１つの他の表示装置に表示用信号を出力する映像信号復号装置に対し、自装置の受信する映像信号の識別情報、当該映像信号の画像サイズ、前記他の映像信号復号装置において表示する表示範囲を含む制御信号を送信し、
前記他の映像信号復号装置は、制御信号で指定された識別情報の映像信号を受信し、復号後の画像フレームに含まれる各画像から制御信号で指定された表示範囲の画像を抽出し、抽出した画像の表示用信号を出力する。
【発明の効果】
【００１３】
本開示によれば、監視映像を受信する各受信装置において、映像における表示範囲を任意に設定可能にすることができる。
【図面の簡単な説明】
【００１４】
【図１】実施形態１に係る映像表示システムの一例を示す。
【図２】画像サイズ及び表示範囲の一例を示す。
【図３】実施形態１に係る表示例を示す。
【図４】実施形態２に係る映像表示システムの一例を示す。
【図５】実施形態２に係る表示装置２００Ａ〜２００Ｄの配置例を示す。
【図６】映像信号ＳＡを拡大したいときの映像信号の流れの一例を示す。
【図７】実施形態２に係る映像信号の拡大例を示す。
【図８】実施形態３に係る映像表示システムの一例を示す。
【発明を実施するための形態】
【００１５】
以下、本開示の実施形態について、図面を参照しながら詳細に説明する。なお、本開示は、以下に示す実施形態に限定されるものではない。これらの実施の例は例示に過ぎず、本開示は当業者の知識に基づいて種々の変更、改良を施した形態で実施することができる。なお、本明細書及び図面において符号が同じ構成要素は、相互に同一のものを示すものとする。
【００１６】
（実施形態１）
図１に、本実施形態に係る映像表示システムの一例を示す。本実施形態に係る映像表示システムは、複数の監視装置２０、映像信号復号装置１０及び表示装置２００を備える。図１では、一例として、複数の監視装置２０が４台の監視装置２０Ａ，２０Ｂ，２０Ｃ，２０Ｄである例を示す。監視装置２０Ａ〜２０Ｄと映像信号復号装置１０は通信ネットワーク１００で接続されている。映像信号復号装置１０は、通信処理部１１、情報処理部１２、設定部１３、表示調整部１４、信号出力部１５、異常検出部１６を備える。
【００１７】
通信処理部１１は、監視装置２０Ａ〜２０Ｄからの映像信号を受信する。情報処理部１２は、映像信号を復号化する。これにより、画像フレームが情報処理部１２から出力される。信号出力部１５は、画像フレームを表示装置２００に表示するための表示用信号を出力する。これにより、監視装置２０Ａ〜２０Ｄからの映像信号が表示装置２００に表示される。
【００１８】
ここで、設定部１３は、表示範囲入力部１３１と表示範囲記憶部１３２とを備え、画像フレームに含まれる画像の表示範囲を設定する。表示調整部１４は、画像フレームに含まれる画像から、設定された表示範囲を抽出する。信号出力部１５は、抽出された表示範囲の画像を、表示用信号として出力する。これにより、設定部１３に設定されている表示範囲の映像が、表示装置２００に表示される。
【００１９】
表示範囲入力部１３１は、表示範囲を指定する。例えば、マウスやキーボードなどの映像信号復号装置１０に備わる任意の入力部を用いて表示範囲が入力されると、これを表示範囲として指定する。入力部を用いた表示範囲の指定は、例えば、映像内のカーソルの位置やタップの位置で表示範囲の端点や中心位置を指定し、スクロールする方向やピンチアウト若しくはピンチインで拡大率を増減する。これにより、映像信号復号装置１０のユーザが任意の表示範囲を指定することができる。また、映像信号復号装置を制御するための制御信号に表示範囲が含まれている場合、表示範囲入力部１３１は、制御信号に含まれている表示範囲を指定する。表示範囲記憶部１３２は、受け取った表示範囲を記憶する。ここで、複数の異なる表示範囲を記憶できるようにしてもよい。
【００２０】
図２に、表示範囲の一例を示す。図３に、表示装置２００の表示例を示す。表示範囲は、１フレームの画像における任意の範囲である。画像サイズは、映像信号における１フレームの画像の幅ＷＦ及び高さＨＦである。表示範囲は、この画像サイズにおける、始点となる座標（ｘ１，ｙ１）、幅ＷＡＣ、及び、高さＨＡＢである。表示範囲は、ｘ軸方向の範囲（ｘ１，ｘ４）、及び、ｙ軸方向の範囲（ｙ１，ｙ５）であってもよい。
【００２１】
この場合、図３に示すように、表示装置２００には、図２で設定した表示範囲が表示される。このとき、図３に示すように、表示装置２００の画面全体に画像を拡大する。ここで、設定した表示範囲の縦横比と表示装置２００の縦横比が異なる場合は、表示範囲の縦横比を維持した状態で表示装置２００の幅ＷＤ又は高さＨＤまで拡大することが好ましい。これにより、監視映像の歪みが防止できるため、監視映像における異常の認識が容易になる。
【００２２】
映像信号復号装置１０は、異常検出部１６を備えることが好ましい。異常検出部１６は、映像信号に含まれる画像や音声から、監視対象の異常を検知する。監視対象の異常は、例えば、画像や音声に予め定められた変化が生じたことに基づいて判定する。この場合、表示範囲入力部１３１は、異常が発生したと予想される範囲を表示範囲に設定する。これにより、監視対象において異常が発生の現場を自動的に拡大表示することができる。
【００２３】
なお、画像フレームの画像サイズが変わると、設定されている表示範囲が適切でなくなる。そこで、映像信号復号装置１０の情報処理部１２は、受信する映像信号が変わると、映像信号を復号後の画像フレームの画像サイズを設定部１３に通知する。表示範囲入力部１３１は、既に記憶している元の画像サイズＷＦ×ＨＦと新たな画像サイズＷＦ×ＨＦが異なっているか否かを判定する。画像サイズが異なっている場合、表示範囲入力部１３１は、表示範囲記憶部１３２に記憶されている表示範囲を解除する。これにより、映像信号が変更になったことによって、監視すべき対象が表示装置２００に表示されなくなることを防止することができる。
【００２４】
以上説明したように、本実施形態に係る映像表示システムは、映像信号を受信して復号しながら、設定部１３に設定されている表示範囲の映像を表示装置２００に表示する。このため、設定部１３の設定を変更することで、任意の範囲を選択的に拡大して表示装置２００に表示することができる。
【００２５】
（実施形態２）
図４に、本実施形態に係る映像表示システムの一例を示す。本実施形態に係る映像表示システムは、複数台の映像信号復号装置１０Ａ〜１０Ｄが連携することで、表示装置２００Ａ〜２００Ｄに１つの映像を表示する。複数台の映像信号復号装置１０Ａ〜１０Ｄは共通のＬ２スイッチ１０１に接続されている。これにより、映像信号復号装置１０Ａ〜１０Ｄは、Ｌ２スイッチ１０１を介して制御信号を送受信することができる。
【００２６】
図５に、表示装置２００Ａ〜２００Ｄの配置例を示す。図５では、一例として、２×２で配列されている例を示す。なお、図５では、図１に示した通信ネットワーク１００及び監視装置２０Ａ〜２０Ｄは省略した。
【００２７】
映像信号復号装置１０Ａ〜１０Ｄがそれぞれ異なる映像信号ＳＡ〜ＳＤを受信しているとき、各表示装置２００Ａ〜２００Ｄはそれぞれ映像信号ＳＡ〜ＳＤを表示する。映像信号ＳＡ〜ＳＤのいずれか、例えば、映像信号ＳＡを拡大したいとき、映像信号復号装置１０Ａの表示範囲入力部１３１は、映像信号復号装置１０Ｂ〜１０Ｄに対し、自装置の受信する映像信号ＳＡの識別情報と、映像信号ＳＡの画像サイズ及び表示範囲を含む制御信号を送信する。ここで、制御信号の伝送方法は、有線でも無線でもよいし、Ｌ２スイッチ１０１を経由してデータを交換するようにしてもよい。
【００２８】
映像信号復号装置１０Ｂ〜１０Ｄの表示範囲入力部１３１は、自装置に備わる情報処理部１２に対して受信する映像信号を映像信号ＳＡに設定し、自装置に備わる表示調整部１４に対して画像サイズ及び表示範囲を設定する。すると、映像信号復号装置１０Ｂ〜１０Ｄにおいて、通信処理部１１が映像信号ＳＡを受信し、情報処理部１２が映像信号ＳＡを復号し、表示調整部１４が設定されている表示範囲を調整する。これにより、図７に示すように、表示装置２００Ａ〜２００Ｄを用いて、１つの映像信号ＳＡを拡大表示することができる。
【００２９】
このとき、監視装置２０Ａ〜２０Ｄから各映像信号復号装置１０Ａ〜１０Ｄへ流れている映像信号は、図６のようになる。映像信号ＳＡはＬ２スイッチ１０１でコピーされて各映像信号復号装置１０Ａ〜１０Ｄへ流れるので、各映像信号復号装置１０Ａ〜１０Ｄが同じ映像信号ＳＡを受信しているときでも監視装置２０Ａや通信ネットワーク１００の負荷は増えない。
【００３０】
例えば、図２に示す画像の場合、映像信号復号装置１０Ｂの表示範囲入力部１３１への制御信号は座標（ｘ４，ｙ１）、幅ＷＢＤ、及び、高さＨＡＢを表示範囲として含み、映像信号復号装置１０Ｃの表示範囲入力部１３１への制御信号は座標（ｘ１，ｙ５）、幅ＷＡＣ、及び、高さＨＣＤを表示範囲として含み、映像信号復号装置１０Ｄの表示範囲入力部１３１への制御信号は座標（ｘ４，ｙ５）、幅ＷＢＤ、及び、高さＨＣＤを表示範囲として含む。
【００３１】
映像信号復号装置１０Ａは、制御信号を各映像信号復号装置１０Ｂ〜１０Ｄに送信する際、どの表示装置がどこに配置されているかを知っておく必要がある。そこで、各映像信号復号装置１０Ａ〜１０Ｄの表示範囲入力部１３１は、各表示装置２００Ａ〜２００Ｄの配置を特定可能な情報を表示範囲記憶部１３２に保持する。
【００３２】
例えば、図５に示す２×２の配置の場合、座標（１，１）＝２００Ａ、座標（１，２）＝２００Ｂ、座標（２，１）＝２００Ｃ、座標（２，２）＝２００Ｄのように、座標を用いて各装置の配置を特定する。ここで、表示装置２００Ａ〜２００Ｄを特定する識別情報は、例えば、表示装置２００Ａ〜２００Ｄまたはこれに接続されている映像信号復号装置１０Ａ〜１０ＤのＭＡＣアドレス（Ｍｅｄｉａ  Ａｃｃｅｓｓ  Ｃｏｎｔｒｏｌ  ａｄｄｒｅｓｓ）などの物理アドレスである。
【００３３】
各表示装置２００Ａ〜２００Ｄの配置の特定は、表示装置２００Ａ〜２００Ｄの座標を用いて行ってもよい。例えば、表示装置２００Ａ〜２００Ｄの座標が図５に示すように定められている場合、表示装置２００Ａの表示範囲記憶部１３２は、例えば、座標（ｘＡ１，ｙＡ１）はどの表示装置とも隣接せず、座標（ｘＡ２，ｙＡ１）は座標（ｘＢ１，ｙＢ１）と一致し、座標（ｘＡ１，ｙＡ３）は座標（ｘＣ１，ｙＣ１）と一致し、座標（ｘＡ２，ｙＡ３）は座標（ｘＢ１，ｙＢ３）、座標（ｘＣ２，ｙＣ１）及び座標（ｘＤ１，ｙＤ１）と一致する旨を保持する。これにより、映像信号復号装置１０Ａが映像信号復号装置１０Ｂ〜１０Ｄに座標情報を送信することにより、表示装置２００Ａ〜２００Ｄの大きさが異なる場合であっても、１つの映像信号ＳＡを拡大表示することができる。
【００３４】
ここで、表示装置２００Ａ〜２００Ｄを用いて、１つの映像信号ＳＡを拡大表示する場合、表示装置２００Ａ〜２００Ｄの間にベゼルが存在する。そこで、表示範囲の設定は、ベゼルの幅ＷＢを考慮することが好ましい。
【００３５】
例えば、ベゼルの幅ＷＢを加算した座標を表示範囲の設定に設定する。この場合、映像信号復号装置１０Ｂの表示範囲入力部１３１への制御信号に含まれる座標を（ｘ４＋ＷＢ，ｙ１）にし、映像信号復号装置１０Ｃの表示範囲入力部１３１への制御信号に含まれる座標を（ｘ１，ｙ５＋ＷＢ）にし、映像信号復号装置１０Ｄの表示範囲入力部１３１への制御信号に含まれる座標を（ｘ４＋ＷＢ，ｙ５＋ＷＢ）にする。これにより、現場の風景に近い監視映像を表示装置２００Ａ〜２００Ｄに表示することができる。
【００３６】
ただし、表示範囲の設定においてベゼルの幅を加算すると、表示装置２００Ｂ〜２００Ｄにおいて表示されない範囲が生じる。そのため、あまり変化のない監視対象であるなどのベゼルの存在が許容できる用途や、文字や記号を監視映像から読み取る必要のある用途の場合、表示範囲の設定においてベゼルの幅を加算しないことが好ましい。
【００３７】
このように、監視映像の用途によって表示範囲の設定が異なるため、表示範囲の設定は映像信号ごとに定められていることが好ましい。
【００３８】
なお、画像フレームの画像サイズが変わると、設定されている表示範囲が適切でなくなる。そこで、映像信号復号装置１０Ａ〜１０Ｄにおいて、情報処理部１２は、受信する映像信号が変わると、映像信号を復号後の画像フレームの画像サイズを表示範囲入力部１３１に通知することが好ましい。
【００３９】
既に記憶している元の画像サイズＷＦ×ＨＦと新たな画像サイズＷＦ×ＨＦが異なる場合、元の画像サイズＷＦ×ＨＦのときの全体画像に対する表示範囲の相対位置を用いて、新たな画像サイズＷＦ×ＨＦのときの全体画像に対する表示範囲の相対位置を求める。そして、求められた相対位置を新たな表示範囲に設定する。これにより、画像フレームの画像サイズが変わった場合であっても、複数の表示装置２００Ａ〜２００Ｄに１つの映像を表示し続けることができる。
【００４０】
以上説明したように、本実施形態に係る映像表示システムは、１台の映像信号復号装置１０Ａに制御を行うだけで、連携する映像信号復号装置１０Ｂ〜１０Ｄ間で自動的に表示する表示位置、表示範囲を合わせることができる。このため、本実施形態に係る映像表示システムは、各表示装置に表示していた異なる映像を、必要な場合に複数の表示装置を用いて１つの監視映像を表示することができる。
【００４１】
（実施形態３）
多数の表示装置を相互隣接するように配置する映像表示システムでは、表示装置２００の配置換えや増減が起こりうる。例えば、図８に示すように、２×２台から４×３の１２台に表示装置２００が増設された場合を考える。本実施形態は、表示装置２００の数や配置に応じ、各映像信号復号装置１０に設定する画像サイズ及び表示範囲を調整する。図８では、図１に示した通信ネットワーク１００及び監視装置２０Ａ〜２０Ｄ、映像装置３０、映像信号復号装置１０は省略した。
【００４２】
図８に示すように、２×２台から４×３の１２台に表示装置２００が増設された場合、各表示装置２００Ａ〜２００Ｌに映像信号復号装置１０Ａ〜１０Ｌを接続し、各表示装置２００Ａ〜２００Ｌの配置を特定可能な情報を、各表示装置２００Ａの表示範囲入力部１３１に入力する。配置の特定方法は、実施形態２と同様である。
【００４３】
映像信号復号装置１０Ａの受信する映像信号ＳＡを拡大したいとき、映像信号復号装置１０Ａの表示範囲入力部１３１は、表示装置２００Ａ〜２００Ｌの配置に基づいて各表示装置２００Ｂ〜２００Ｌの表示範囲を算出する。そして、映像信号復号装置１０Ａの表示範囲入力部１３１は、表示装置２００Ｂ〜２００Ｌの映像信号復号装置（不図示）に対し、画像サイズ及び表示範囲を含む制御信号を送信する。これにより、表示装置２００Ａ〜２００Ｌを用いて、１つの映像信号ＳＡを拡大表示することができる。
【００４４】
ここで、拡大表示に用いる表示装置は、表示装置２００Ａ〜２００Ｌの一部であってもよい。例えば、表示装置２００Ｂ，２００Ｅ，２００Ｄ及び２００Ｇ、又は、表示装置２００Ｄ，２００Ｇ，２００Ｊ及び２００Ｋを、拡大表示する表示装置に定める。これにより、注目すべき映像又は画像を、特定の位置に拡大表示することができる。
【００４５】
また、各表示装置２００Ａ〜２００Ｌは、隣接する表示装置に表示される映像が拡大されると、それに合わせて拡大された映像を表示してもよい。例えば、映像信号復号装置１０Ｄが表示装置２００Ｄに表示されている映像を拡大すると、表示装置２００Ｄに表示されていた映像を、隣接する表示装置２００Ａ，２００Ｂ，２００Ｅ，２００Ｃ，２００Ｇ，２００Ｉ，２００Ｊ，２００Ｋに拡大表示する。
【００４６】
このとき、表示装置２００Ｄの映像信号復号装置に備わる表示範囲入力部１３１は、表示装置２００Ｄに表示できない範囲を算出し、当該範囲の配置されている位置に配置されている表示装置に当該範囲を表示するよう、隣接する表示装置２００Ａ，２００Ｂ，２００Ｅ，２００Ｃ，２００Ｇ，２００Ｉ，２００Ｊ，２００Ｋの各映像信号復号装置に対し、映像信号ＳＡの識別情報と、映像信号ＳＡの画像サイズ及び表示範囲を含む制御信号を送信する。
【００４７】
図８に示すように、複数の表示装置２００が配置されている場合、各表示装置２００に表示する映像信号の表示パターンを予め定め、表示パターンに従って各表示装置２００に表示させてもよい。例えば、パターンＰ１の場合は表示装置２００Ａ〜２００Ｌにそれぞれ異なる映像信号を表示させ、パターンＰ２の場合は表示装置２００Ａ〜２００Ｄを用いて１つの映像を表示させつつ他の表示装置２００Ｅ〜２００Ｌに個別の映像を表示させるなどである。これらの表示パターンに応じた制御コマンドを各映像信号復号装置（不図示）の表示範囲入力部１３１に記憶させることで、表示パターンに応じた表示を容易に切り替えることができる。
【００４８】
また、本実施形態では、異常検出部１６が監視対象の異常を検知すると、表示範囲入力部１３１は、異常が発生したと予想される範囲を拡大表示することが好ましい。例えば、表示装置２００Ａの映像信号において異常が検出された場合、図７に示すように、表示装置２００Ａ〜２００Ｄを用いて表示装置２００Ａの映像を拡大表示することが好ましい。これにより、監視対象の異常の発生の見逃しを防止することができる。
【００４９】
以上説明したように、本開示に係る映像表示システムは、映像信号を受信して復号しながら、任意の範囲を選択的に拡大して表示装置２００に表示することができる。このため、監視映像の切り替えや拡大表示を容易に行うことができる。
【００５０】
特に、本開示に係る映像表示システムは、各表示装置２００に接続されている各映像表性装置１０を用いて複数の表示装置２００を用いた拡大表示を行うことができる。このため、表示装置２００や外部機器を用いずに表示調整が実現できるため、監視映像の拡大が可能なシステム構成を簡略化でき、コストダウンも可能となる。
【産業上の利用可能性】
【００５１】
本開示は情報通信産業に適用することができる。
【符号の説明】
【００５２】
１０，１０Ａ，１０Ｂ，１０Ｃ，１０Ｄ：映像信号復号装置
１１：通信処理部
１２：情報処理部
１３：設定部
１３１：表示範囲入力部
１３２：表示範囲記憶部
１４：表示調整部
１５：信号出力部
２０Ａ、２０Ｂ、２０Ｃ、２０Ｄ：監視装置
１００：通信ネットワーク
１０１：Ｌ２スイッチ
２００，２００Ａ，２００Ｂ，２００Ｃ，２００Ｄ，２００Ｅ，２００Ｆ，２００Ｇ，２００Ｈ，２００Ｉ，２００Ｊ，２００Ｋ，２００Ｌ：表示装置
【図１】
2018007193.tif 000003
【図２】
2018007193.tif 000004
【図３】
2018007193.tif 000005
【図４】
2018007193.tif 000006
【図５】
2018007193.tif 000007
【図６】
2018007193.tif 000008
【図７】
2018007193.tif 000009
【図８】
2018007193.tif 000010